【事件の表示】
　平成　８年特許願第　６０１０８号「アイアンゴルフクラブセット」拒絶査定不服審判事件〔平成　９年　９月　２日出願公開、特開平　９−２２５０７３〕について、次のとおり審決する。
【結　論】
　本件審判の請求は、成り立たない。
【理　由】
１．手続の経緯
　本願は、平成８年２月２２日の出願であって、平成１７年１１月２５日付で拒絶査定がなされ、同年１２月２０日に拒絶査定に対する審判請求がなされるとともに、同日付で明細書についての手続補正（以下、「本件補正」という。）がなされたものである。
　　
２．本願発明
　本件補正により、特許請求の範囲は、
「【請求項１】　
　番手の小さいクラブから大きいクラブになるに従って実質的にシャフト長さが漸次短くなるようにセッティングされたアイアンゴルフクラブセットにおいて、
　ヘッド本体に装着されたシャフトのヘッド本体から露出する始端からグリップ側へ向けて実質上同一径で延びるストレート部を有するシャフトを備えた複数のクラブを有し、
　上記ストレート部を有するシャフトでは上記ストレート部の終端からグリップ側へ向けてわずかに膨径して延びるテーパ部を有し、
　上記ストレート部を有さないシャフトではヘッド本体から露出する始端からグリップ側へ向けてわずかに膨張して延びるテーパ部を有し、
　上記ストレート部を有するシャフトを備えたクラブのみあるいは上記ストレート部を有さないシャフトを備えたクラブも含むセッティングとし、
　上記ストレート部の長さを３番で７０〜９０mm、４番で６０〜８０mm、５番で５０〜７０mm、６番で４０〜６０mm、７番で３０〜５０mm、８番で２０〜４０mm、９番で１０〜３０mm、ウェッジで０〜２０mmとしてシャフト長さが短い番手から長い番手の順に実質上長くなるシャフトを使用し
、前記ストレート部の直径を３番及び４番で９．０〜９．３mm、５番から７番で９．３〜９．６mm、８番以下を９．４〜９．８mmとし
【請求項２】
　前記テーパ部を１０００分の３〜４のテーパとしたことを特徴とする請求項１に記載のアイアンゴルフクラブセット。」
と補正された（補正個所に下線を引いた。）。
　本件補正は、特許請求の範囲について、補正前の請求項１及び補正前の請求３の請求項１引用部分を削除すると共に、補正前の請求項２を補正後の請求項１とし、補正前の請求項３の請求項２引用部分を請求項２としたものであるから、平成１８年改正前特許法第１７条の２第４項第１号に規定する請求項の削除を目的とする適法な補正と認められる。
　そうすると、本願の請求項１に係る発明（以下、「本願発明」という。）は、上記請求項１に記載された事項により特定されるとおりのものと認める。
　　
３．引用例
　これに対して、原査定の拒絶の理由に引用された、特開平７−２１３６５４号公報及び特開平３−２７２７８１号公報（以下順に、「引用例１」及び「引用例２」という。）にはそれぞれ本願発明に関連する事項として以下の事項が図示と共に記載されている。
（１）引用例１
　ア．「番手の異なる複数本の管状繊維強化プラスチック製ゴルフクラブシャフトからなるゴルフクラブシャフトセットにおいて、（ｉ）チップ端外径及びバット端外径が番手にかかわらず同じ大きさに設定されていること、（ｉｉ）チップ端から一定の長さにわたって同一外径に形成された部分を有するとともに、該同一外径部分は番手が大きくなるに従って順次短くなるように設定されていること、（ｉｉｉ）該同一外径部分のバット側端位置からバット端までのシャフト外周部が次第に径が大きくなるテーパー状に形成されていること、（ｉｖ）全シャフト重量が番手にかかわらず一定となるように設定されていること、（ｖ）キックポイントが番手が大きくなるに従って順次チップ側からバット側に移行するように設定されていること、を特徴とするゴルフクラブシャフトセット。」（【請求項２】）
　イ．「本発明は、上記従来技術の問題点に鑑みなされたもので下記のことをその課題とする。（１）ロングアイアンは先調子で楽にボールが上がり、ショートアイアンは手元調子でボールの方向性を良好なものとすること。（２）製造にあたって使用するマンドレル及びゴルフクラブシャフト素管の種類が少なくてすみ、製造の工程数を少なくし、生産性を向上させること。（３）番手が大きくなるとともに各種のシャフト特性が順次変化して、プレイヤーに良好なフィーリングを与えるものとすること。（４）クラブセットの中でバット外径を一定にでき、各番手でグリップ外径の異和感をなくすこと。」（段落【０００７】参照）
　ウ．「本発明によるゴルフクラブシャフトセットの各シャフトは、チップ端外径（図１のｄに相当）が番手にかかわらず同じ大きさに設定されている。また、バット端外径（図１のＤに相当）も番手にかかわらず同じ大きさに設定されている。通常、チップ端外径ｄは６．５〜１０．０ｍｍ程度に設定され、バット端外径Ｄは１３．０〜１６．０ｍｍ程度に設定される。本発明のゴルフクラブシャフトセットでは、チップ端外径ｄが番手にかかわらず同じ大きさに設定されているため、ヘッドのフォーゼル内径（シャフト差し込み内径）を一定にできるという利点がある。また、バット端外径Ｄが番手にかかわらず同じ大きさに設定されているため、セット内で同一種類のグリップを使用でき、グリップ外径が一定のため同一感触でにぎれるという利点がある。また、本発明によるゴルフクラブシャフトセットでは、チップ端から一定の長さにわたって同一外径に形成された部分（図１の５に相当）の長さＳが番手が大きくなるに従って順次短くなるように設定されている。この場合、長さＳの短くなる割合は３〜２０ｍｍ／番手、より好ましくは５〜１５ｍｍ／番手である。このようにすることにより、番手の小さい長いシャフトから順次キックポイントをバット側に移行でき、ロングアイアンは先調子、ショートアイアンは手元調子となるゴルフクラブシャフトセットが得られるという利点がある。」（段落【００１２】〜【００１３】参照）
　エ．「本発明のゴルフクラブシャフトセットでは、各シャフトのキックポイントが番手が大きくなるに従って順次チップ側からバット側に移行するように設定されている。ここでキックポイントとは、シャフトを軸方向に圧縮したときの最大たわみ位置であり、シャフト長さに対する％表示を行うと、シャフト長さをＬ０（ｍｍ）、該最大たわみ位置からシャフトのチップ先端までの距離をｂ（ｍｍ）としたとき、（ｂ／Ｌ０）×１００（％）で表わされるものである。シャフトのキックポイントを番手に応じて上記のように移行させるには、上記と同様、同一外径部分の長さＳ、内周の２段テーパーの境界位置、該２段テーパーのテーパー角度、内層と外層の膜厚比等を調整すればよい。シャフトのキックポイントのチップ側からバット側への移行割合は０．１〜０．５％／番手である。シャフトのキックポイントが上記のように移行することにより、番手の小さいアイアンは打球が上がりやすく、順次番手が大きくなるに従い打球の方向性の正確さが出るという利点がある。」（段落【００１５】参照）
　オ．「ゴルフクラブシャフト素管をもとに各番手のゴルフクラブシャフトを製造する。ここでチップ側は番手にかかわらず芯鉄端から一定の長さ位置、例えば１００ｍｍの位置で切断する。この切断には例えばダイヤモンドカッター、砥石タイプの高速カッター等公知の切断手段を用いることができる。一方、バット側は最も番手の小さな長い番手から番手毎に例えば０．５インチずつ短くなるように上記切断手段で切断する。次に、所定長さとなったゴルフクラブシャフト素管を研磨して図１に示すような所要形状に仕上げることにより、所望の特性を持つ本発明によるゴルフクラブシャフトセットを得ることができる。【発明の効果】本発明によるゴルフクラブシャフトセットは、前記構成としたので、番手が大きくなるとともに各種のシャフト特性が順次変化し、ロングアイアンに用いた場合は先調子で楽にボールが上がり、ショートアイアンに用いた場合は手元調子でボールの方向性が良好となる。しかも、全シャフト重量が番手にかかわらず一定か、或いは番手が大きくなるに従って重くなっているので、クラブのスウィングバランスがセット内で一定若しくは一定割合で増加するという利点がある。さらに、本発明のゴルフクラブシャフトセットは、製造にあたって使用するマンドレル及びゴルフクラブシャフト素管が１種類でよいため、ゴルフクラブシャフトセットを製造の工程数が少なくなり、生産性を向上させることが可能となる。」（段落【００２２】〜【００２３】参照）
　オ．「８本のゴルフクラブシャフト素管を得た。次に、上記ゴルフクラブシャフト素管のうちの１本について、先端から１００ｍｍの位置でカットしてチップ端とし、該チップ端よりＬ０＝９８６ｍｍの位置でカットしバット端とするとともに、センタレス研磨にて図１に示す形状に研磨した後、塗装して３番アイアン用シャフトとした。チップ端外径は９．４ｍｍφ、チップ端内径は３．８３ｍｍφ、バット端外径は１５．３ｍｍφ、バット端内径は１２．４３ｍｍφ、チップ端から同一外径部分のバット側端位置までの距離Ｌ１は１５０ｍｍ、該距離Ｌ１の位置における内径は５．５２ｍｍφであった。また、上記ゴルフクラブシャフト素管の残りのものについて、先端から１００ｍｍの位置でカットしてチップ端とし、該チップ端よりそれぞれ表１に示すＬ０の位置でカットしバット端とするとともに、上記と同様にセンタレス研磨にて、チップ端外径及びバット端外径は３番アイアン用シャフトの場合と同様に、チップ端から同一外径部分のバット側位置までの距離Ｌ１は表１に示す値となるように研磨した後、塗装してそれぞれ４番〜９番アイアン用シャフト及びＰＷ用シャフトを製造した。」（段落【００２５】〜【００２７】参照）
　カ．表１から、３番からＰＷまでのアイアンシャフトの同一外径部分のバット側端位置までの距離Ｌ１が１５０ｍｍ、１３８ｍｍ、１２５ｍｍ、１１３ｍｍ、１００ｍｍ、８８ｍｍ、７５ｍｍ、６３ｍｍと順次短くなり、それに伴い長さＬ０が９８６ｍｍ、９７４ｍｍ、９６１ｍｍ、９４９ｍｍ、９３６ｍｍ、９２４ｍｍ、９１１ｍｍ、８９９ｍｍと同じ減少差（１２もしくは１３ｍｍ＝ほぼ０．５インチ）で順次短くなることが看取できる。
　［引用発明の認定］
　記載ウの「チップ端から一定の長さにわたって同一外径に形成された部分（図１の５に相当）の長さＳ」と、記載オ、カの「チップ端から同一外径部分のバット側端位置までの距離Ｌ１」とは、その規定振りからみてその意味するものと異ならない（以下、「チップ端同一外径部分の長さＳ」という。）。
　また、チップ端がヘッドのフォーゼルのシャフト差し込み部に差し込まれる（記載ウ参照）こと、３番からＰＷまでのアイアンシャフトのチップ端同一外径部分の長さＳが１５０ｍｍ、１３８ｍｍ、１２５ｍｍ、１１３ｍｍ、１００ｍｍ、８８ｍｍ、７５ｍｍ、６３ｍｍであること及びこれに対する通常のフォーゼルの差し込み深さ（番手によらずほぼ一定で５０ｍｍ以下である）を考慮すれば、引用例１に記載のゴルフクラブシャフトセットを使用するアイアンゴルフクラブセットは、ヘッド本体に装着されたシャフトのヘッド本体から露出する始端からバット端すなわちグリップ側へ向けて実質上同一径で延びる同一外径部分（以下、「露出同一外径部分」という。）及び該露出同一外径部分の終端からバット端までのシャフト外周部が次第に径が大きくなるテーパー状に形成されている部分を有し、上記露出同一外径部分の長さがＰＷから３番の順に言い換えると短い番手から長い番手の順に実質上長くなる複数のシャフトを使用していることが明らかである。
　さらに、チップ端外径が９．４ｍｍφである（記載オ参照）ことは、露出同一外径部分の直径が９．４ｍｍであることに他ならない。
　したがって、上記記載ア〜カを含む引用例１には以下の発明が記載されている。
　「３番からＰＷまでのアイアンシャフトのチップ端同一外径部分の長さＳが１５０ｍｍ、１３８ｍｍ、１２５ｍｍ、１１３ｍｍ、１００ｍｍ、８８ｍｍ、７５ｍｍ、６３ｍｍと順次短くなり、それに伴いシャフト長さＬ０が９８６ｍｍ、９７４ｍｍ、９６１ｍｍ、９４９ｍｍ、９３６ｍｍ、９２４ｍｍ、９１１ｍｍ、８９９ｍｍと順次短くなるようにセッティングされたアイアンゴルフクラブセットにおいて、
　ヘッド本体に装着されたシャフトのヘッド本体から露出する始端からグリップ側へ向けて延びる露出同一外径部分を有するシャフトを備えた複数のクラブを有し、
　上記露出同一外径部分を有するシャフトでは上記露出同一外径部分の終端からバット端までのシャフト外周部が次第に径が大きくなるテーパー状に形成されている部分を有し、
　上記露出同一外径部分を有するシャフトを備えたクラブのみを備えたクラブからなるセッティングとし、
　上記露出同一外径部分の長さをシャフト長さが短い番手から長い番手の順に実質上長くなるシャフトを使用し、前記同一外径部分の直径を番手によらず９．４ｍｍと同一としたアイアンゴルフクラブセット。」（以下、「引用発明」という。）
（２）引用例２
　キ．「１、ウッドクラブ及びアイアンクラブから成るゴルフクラブセットに於て、ロングアイアンからショートアイアンにかけて、ゴルフクラブの全長Ｌ０が１番手毎に所定の長さΔＬ０づつ漸減すると共に、該ゴルフクラブの第１ステップの長さＬ１が１番手毎に所定の長さΔＬ１づつ漸減するように設定し、かつ、全長減少長さΔＬ０よりも第１ステップ減少長さΔＬ１を大きな値に設定したことを特徴とするゴルフクラブセット。
２、ウッドクラブ及びアイアンクラブから成るゴルフクラブセットに於て、ロングアイアンからショートアイアンにかけて、シャフトの先端径を１番手毎乃至３番手毎に増加するように設定し、かつ、ロングアイアンのシャフトの先端径を、ウッドクラブのシャフトの先端径と略同一値に設定したことを特徴とするゴルフクラブセット。」（特許請求の範囲）
　ク．「（第１項と第２項のいずれにおいても、）ボール打撃時のロングアイアンのフィーリングがソフトになり、手への衝撃が小さくなる。また、ロングアイアンがいわゆる先調子のシャフトとなって、ボールの打出角が高くなり、キャリーが伸びる。」（３頁左上欄１４〜１９行）
　ケ．「第１図に於て、ウッドクラブ用シャフト２１とアイアンクラブ用シャフト２２を略図にて示し、シャフト先端部から始まる最初のステップ───これを第１ステップ２３と呼ぶ───の長さをＬ１とし、ゴルフクラブ全長をＬ０とし、第１ステップの先端径（チップ径）をＤｔ、シャフトの基端径（バット径）をＤｂとする。」（３頁右上欄１〜７行）
　コ．「第２表から明らかなように、本発明に係るゴルフクラブセットでは、ロングアイアンからショートアイアンにかけて（番手が多くなると）、ゴルフクラブの全長Ｌ０が１番手毎に（従来例と同一の）ΔＬ０＝１２．７ｍｍづつ漸減するように設定し、かつ、第１ステップ減少長さΔＬ１がこの全長減少長さΔＬ０よりも、大きな値───即ちΔＬｌ＝２２．７ｍｍ───に設定した。」（３頁右下欄３〜１０行）
　サ．「第３表から明らかなように、本発明に係るゴルフクラブセットでは、第１ステップの先端径（チップ径）Ｄｔを、ロングアイアンほど細くし、ミドルアイアンからショートアイアンになるに従って徐々に太くしている。」（４頁右下欄１〜５行）
　シ．「第２表と第３表とを組み合わせたゴルフクラブセットとするも自由である。例えば、シャフト外径を各番手毎に違うものとすると、シャフトの種類が増えるため、２番手毎（又は３番手毎）にシャフト外径を変えて、その番手間の第１ステップの長さＬｌの変化量ΔＬ１を、２２．７ｍｍとすることも望ましい。」（５頁左上欄１４〜末行）
　　
４．対比・判断
　本願発明と引用発明を対比する。
　引用発明の「３番からＰＷまでのシャフト長さＬ０が９８６ｍｍ、９７４ｍｍ、９６１ｍｍ、９４９ｍｍ、９３６ｍｍ、９２４ｍｍ、９１１ｍｍ、８９９ｍｍと順次短くなるようにセッティングされたアイアンゴルフクラブセット」は、「番手の小さいクラブから大きいクラブになるに従って実質的にシャフト長さが漸次短くなるようにセッティングされたアイアンゴルフクラブセット」ということができる。
　また、引用発明の「露出同一外径部分」は、本願発明の「ヘッド本体から露出する始端からグリップ側へ向けて実質上同一径で延びるストレート部」に相当し、したがって、引用発明の「露出同一外径部分の終端からバット端までのシャフト外周部が次第に径が大きくなるテーパー状に形成されている部分」は、本願発明の「ストレート部の終端からグリップ側へ向けてわずかに膨径して延びるテーパ部」に相当している。
　したがって、両者は、
　「番手の小さいクラブから大きいクラブになるに従って実質的にシャフト長さが漸次短くなるようにセッティングされたアイアンゴルフクラブセットにおいて、
　ヘッド本体に装着されたシャフトのヘッド本体から露出する始端からグリップ側へ向けて実質上同一径で延びるストレート部を有するシャフトを備えた複数のクラブを有し、
　上記ストレート部を有するシャフトでは上記ストレート部の終端からグリップ側へ向けてわずかに膨径して延びるテーパ部を有し、
　上記ストレート部を有するシャフトを備えたクラブのみを備えたクラブからなるセッティングとし、
　上記ストレート部の長さをシャフト長さが短い番手から長い番手の順に実質上長くなるシャフトを使用したアイアンゴルフクラブセット。」
の点で一致し、次の点で相違している。
　［相違点］
　Ａ．ストレート部の長さについて、本願発明では、３番で７０〜９０mm、４番で６０〜８０mm、５番で５０〜７０mm、６番で４０〜６０mm、７番で３０〜５０mm、８番で２０〜４０mm、９番で１０〜３０mm、ウェッジで０〜２０mmと特定されているのに対して、引用発明では、番手毎の具体的数値（範囲）が定かでない点。
　Ｂ．ストレート部の直径について、本願発明では、３番及び４番で９．０〜９．３mm、５番から７番で９．３〜９．６mm、８番以下を９．４〜９．８mmと特定されているのに対して、引用発明では、番手によらず９．４ｍｍと同一である点。
　［相違点の判断］
　相違点Ａについて
　引用発明の各番手毎のストレート部の長さについては定かでない。
　そこで、本願発明が、各番手毎のストレート部の長さの具体的数値として、３番で７０〜９０mm、４番で６０〜８０mm、５番で５０〜７０mm、６番で４０〜６０mm、７番で３０〜５０mm、８番で２０〜４０mm、９番で１０〜３０mm、ウェッジで０〜２０mmと数値（範囲）を特定していることの意義について検討するに、本願の詳細な説明の記載を参照しても、格別の臨界的意義が見いだせない。
　他方、引用発明は、各番手毎のストレート部にフォーゼル部への差し込み長さを加えた部分であるチップ端同一外径部分の長さＳについては３番からＰＷまでの順に１５０ｍｍ、１３８ｍｍ、１２５ｍｍ、１１３ｍｍ、１００ｍｍ、８８ｍｍ、７５ｍｍ、６３ｍｍであり、通常のフォーゼルの差し込み深さは番手によらずほぼ一定で５０ｍｍ程度であることからみて、引用発明は、仮にフォーゼル部の長さを５０ｍｍとすれば、３番で１００ｍｍ、４番で８８ｍｍ、５番で７５ｍｍ、６番で６３ｍｍ、７番で５０ｍｍ、８番で３８ｍｍ、９番で２５ｍｍ、ＰＷすなわちウェッジで１３ｍｍとなり、本願発明の数値（範囲）との間でさほどの違いがなく、クラブの構造あるいは製造方法上のさほどの変更を余儀なくするものでもないから、格別の長さ数値でない。
　また、クラブを先調子あるいは手元調子にする程度は、ストレート部の長さのみで決まるものでなく、クラブの製造材料、シャフトの各部分の肉厚等如何によっても決まるものであり、しかも、クラブ使用者の体力及び要請等に応じて適宜決定可能な事項である。
　以上のことを考えれば、引用発明において、番手毎のストレート部の長さの具体的数値に関する相違点Ａに係る本願発明の構成を採用することは、当業者が適宜変更可能な範囲内のことと認める。
　相違点Ｂについて
　引用例２には、番手の小さいクラブから大きいクラブになるに従って実質的にシャフト長さが漸次短くなるようにセッティングされたアイアンゴルフクラブセットにおいて、シャフト先端部から始まる最初のステップである第１ステップの長さＬ１が、番手の小さいクラブから大きいクラブになるに従って、漸次短くなると共に当該第１ステップの直径Ｄｔが、番手の小さいクラブから大きいクラブになるに従って、漸次大きくすること、つまり第１ステップの長さだけでなく、直径を変えることが記載されている（引用例２の上記記載キ〜シ参照）。
　ところで、引用例２には、引用発明のストレート部と同じく、第１ステップの外径がその軸方向で同一であることについては明示がないが、引用例２に記載の第１ステップは、引用発明のストレート部と同様に、その長さを番手毎に変えることにより、シャフトの長いクラブではシャフトが先調子となり打球が上がり易くなり、シャフトの短いクラブでは手元調子となり打球が安定してしっかりと打つことができるという機能を発揮するものである（引用例２の上記記載ク参照）。
　そうすると、引用発明において、引用例２に記載の第１ステップと同様の機能を持つストレート部について、長さだけでなく直径も変えることは、引用例２の上記記載にふれた当業者であれば格別困難性を要せず想到しうることである。
　その際、本願発明が、ストレート部の直径の具体的数値（範囲）として、３番及び４番で９．０〜９．３mm、５番から７番で９．３〜９．６mm、８番以下を９．４〜９．８mmと特定した点について検討するに、本願の詳細な説明の記載を参照しても、格別の臨界的意義が見いだせず、また、引用発明のストレート部の直径の具体的数値である９．４ｍｍと比較して、その差が０．４ｍｍ以内におさまっており、クラブの構造あるいは製造方法上のさほどの変更を余儀なくするものでもないから、格別の直径数値でない。
　クラブを先調子あるいは手元調子にする程度は、上述のとおり、ストレート部の長さ及び直径のみで決まるものでなく、クラブの製造材料、シャフトの各部分の肉厚等如何によっても決まるものであり、しかも、クラブ使用者の体力及び要請等に応じて適宜決定可能な事項である。
　以上のことをことを考えれば、引用発明において、番手毎のストレート部の直径の具体的数値に関する相違点Ｂに係る本願発明の構成を採用することは、当業者が適宜変更可能な範囲内のことと認める。
　そして、上述したように、クラブを先調子あるいは手元調子にする程度は、ストレート部の長さ及び直径のみで決まるものでなく、クラブの製造材料、シャフトの各部分の肉厚等如何によっても決まるものであり、しかも、クラブ使用者の体力及び要請等に応じて適宜決定可能な事項であることを考えれば、本願発明のストレート部の長さに関する相違点Ａの具体的数値範囲及びストレート部の直径に関する相違点Ｂに係る具体的数値（範囲）を同時に選択することも当業者が適宜採用する範囲内のこと認められる。
　以上のとおり、相違点に係る本願発明の構成を採用することは当業者にとって想到容易であり、同構成を採用したことによる格別の作用効果を認めることもできない。
　したがって、本願発明は、引用発明、引用例２に記載の技術に基づいて当業者が容易に発明をすることができたものであるから特許法２９条２項の規定により特許を受けることができない。
　　　
５．むすび　
　本願発明が特許を受けることができない以上、本願のその余の請求項に係る発明について検討するまでもなく、本願は拒絶を免れない。
　よって結論のとおり審決する。